(57)【要約】【課題】表面に汚れ等が付着しても指先で軽く触った程度で容易にマーク部の位置を認識することができる入力装置用シートを提供する。【解決手段】少なくとも一部がタッチパネル５１として構成された平面状のタッチ式入力部を備えている入力装置５０における前記タッチ式入力部に貼着される入力装置５０用シート１であって、タッチパネル５１の第一のエリア９１と第二のエリア９２に表示されるアイコン５２の位置を示すための凸部２１，２２がシルクスクリーン印刷により形成されている。【選択図】図３
2012234263.tif 000002
【特許請求の範囲】
【請求項１】
少なくとも一部がタッチパネルとして構成されたタッチ式入力部を備えている入力装置における前記タッチ式入力部に貼着される入力装置用シートであって、
タッチ式入力部においてタッチされるマーク部の位置を示すための凸部がシルクスクリーン印刷により形成されていることを特徴とする入力装置用シート。
【請求項２】
複数の凸部が形成されており、該複数の凸部のうち少なくとも一つは剥離除去可能に形成されている請求項１記載の入力装置用シート。
【請求項３】
凸部の剥離強度が複数種類存在している請求項２記載の入力装置用シート。
【請求項４】
マーク部が相対的に変化しやすい第一のエリアとマーク部が相対的に変化しにくい第二のエリアがタッチパネルに存在しているタッチ式入力部に貼着される入力装置用シートであって、第一のエリアのマーク部の位置を示すための凸部の剥離強度は、第二のエリアのマーク部の位置を示すための凸部の剥離強度よりも小さい請求項３記載の入力装置用シート。
【請求項５】
マーク部が固定的に配置された固定エリアをタッチパネルの外側に備えているタッチ式入力部に貼着される入力装置用シートであって、タッチパネルのマーク部の位置を示すための凸部の剥離強度は固定エリアのマーク部の位置を示すための凸部の剥離強度よりも小さい請求項３記載の入力装置用シート。
【請求項６】
剥離強度が相対的に小さい凸部は指の爪で剥離除去可能である請求項４又は５記載の入力装置用シート。
【請求項７】
タッチパネルに貼着されるタッチパネル用シートであって、
タッチパネルのアイコンの位置を示すための凸部がシルクスクリーン印刷により形成されていることを特徴とするタッチパネル用シート。
【発明の詳細な説明】
【技術分野】
【０００１】
本発明は、タッチパネルを備えた入力装置に貼着される入力装置用シート、及び、タッチパネルに貼着されるタッチパネル用シートに関する。
【背景技術】
【０００２】
従来、例えばタッチパネルにおいては、表面が平坦であるためにアイコン等のマーク部を指でタッチする際にそのマーク部の位置がわかりにくいという問題があった。かかる問題を解消するために例えば下記特許文献１では凸部を形成したシートをタッチパネルに貼着することが提案されている。タッチパネルにマーク部として表示される十字キーや決定キーを覆うようにシートを貼着することにより、マーク部の位置を凸部によって容易に把握できるというものである。そして、シートの表面に凸部を塗料等によって形成することも記載されているが、凸部の具体的な高さについては記載されていない。塗料の膜厚が数μｍ〜数十μｍ程度と薄い場合には、指先で軽く触ったときにその存在を瞬時に判別することが難しい。特に、シートの表面に汚れ等が付着した場合にはそれらの付着物と凸部とを区別することが容易ではない。従って、マーク部の位置を把握しずらいという問題がある。一方、シートを型成形することで表面に凸部を形成する場合には凸部の高さを容易に高くすることができるが、小ロット生産には不向きである。
【先行技術文献】
【特許文献】
【０００３】
【特許文献１】実用新案登録第３１６２１４２号公報
【発明の概要】
【発明が解決しようとする課題】
【０００４】
それゆえに本発明は上記従来の問題点に鑑みてなされ、表面に汚れ等が付着しても指先で軽く触った程度で容易にマーク部の位置を認識することができる入力装置用シート及びタッチパネル用シートを提供することを課題とする。
【課題を解決するための手段】
【０００５】
本発明は、上記課題を解決すべくなされたものであって、本発明に係る入力装置用シートは、少なくとも一部がタッチパネルとして構成されたタッチ式入力部を備えている入力装置における前記タッチ式入力部に貼着される入力装置用シートであって、タッチ式入力部においてタッチされるマーク部の位置を示すための凸部がシルクスクリーン印刷により形成されていることを特徴とする。
【０００６】
該構成の入力装置用シートにあっては、マーク部の位置を示すための凸部がシルクスクリーン印刷により形成されているので、凸部の高さが高い。従って、入力装置のタッチ式入力部に貼着すると、指先で容易に凸部を認識することができ、凸部によってマーク部の位置を容易に把握することができる。
【０００７】
特に、複数の凸部が形成されており、該複数の凸部のうち少なくとも一つは剥離除去可能に形成されていることが好ましい。ユーザが好みに応じて、剥離除去可能な凸部をそのまま残しておいたり、あるいは凸部を剥離して取り除いたりすることができる。また、使用当初においては剥離除去可能な凸部をそのまま残して使用しておき、ユーザの好みや使用環境が変化した際にその凸部を剥離して除去するということもできる。また、シルクスクリーン印刷によって凸部が形成されていてその高さが高いので容易に剥離することができる。
【０００８】
更に、凸部の剥離強度が複数種類存在していることが好ましい。例えば、全ての凸部が剥離除去可能である場合においてその剥離強度を一定とすることもできるが、剥離強度が複数種類存在すれば、例えば、ユーザが残す可能性が高い凸部についてはその剥離強度を大きいものとして耐久性を確保し、逆にユーザが残す可能性が低い凸部についてはその剥離強度を小さいものとして剥離作業の作業性を向上させることができる。尚、凸部の剥離強度が複数種類存在することには、何れも剥離除去可能な凸部であってその剥離の容易性が二種類以上存在している場合の他、剥離除去可能な凸部と実質上剥離不能な凸部の二種類が設けられている場合も含まれる。
【０００９】
そして、マーク部が相対的に変化しやすい第一のエリアとマーク部が相対的に変化しにくい第二のエリアがタッチパネルに存在しているタッチ式入力部に貼着される入力装置用シートにおいては、第一のエリアのマーク部の位置を示すための凸部の剥離強度は、第二のエリアのマーク部の位置を示すための凸部の剥離強度よりも小さいことが好ましい。例えばタブレット端末等では、タッチパネルにおいて、マーク部としてのアイコンの個数や内容、位置等をユーザが任意に変化させることを前提としているエリアと、逆にアイコンを原則として変化させないエリア、あるいは、変化させることができる場合でもその程度が小さいエリアとが区画されていることがある。このような場合には、アイコン等のマーク部が相対的に変化しやすい第一のエリアについては凸部の剥離強度を小さくし、アイコン等のマーク部が相対的に変化しにくい第二のエリアについては凸部の剥離強度を大きくしておくことが好ましい。即ち、マーク部の変更可能性の程度に合わせて凸部の剥離強度を大小変化させておくことで、より一層使い勝手が向上することになる。尚、タッチパネルに第一のエリアと第二のエリアの他に第三のエリアや第四のエリアを備えていてもよく、マーク部の変化のしやすさが異なる二以上のエリアを備えていればよい。
【００１０】
また、マーク部が固定的に配置された固定エリアをタッチパネルの外側に備えているタッチ式入力部に貼着される入力装置用シートにおいては、タッチパネルのマーク部の位置を示すための凸部の剥離強度が固定エリアのマーク部の位置を示すための凸部の剥離強度よりも小さいことが好ましい。例えば、電源のオンオフ操作や、ズーム操作、前の画面に戻る操作等、予め決められた操作を行うために、タッチパネルの外側にマーク部が固定的に配置された固定エリアを備えたタッチ式入力部では、その固定エリアのマーク部をユーザが変更することは不可能である。従って、固定エリアの凸部についてはタッチパネルの凸部よりも剥離しにくくしておくことで、使い勝手が向上する。
【００１１】
特に、剥離強度が相対的に小さい凸部は指の爪で剥離除去可能であることが好ましい。定規やコイン等の固い物を使用する必要がなく、入力装置を操作する指の爪でシートの貼着後において凸部を容易に剥離除去でき、入力装置を不用意に傷つけるおそれも減少する。
【００１２】
また、本発明に係るタッチパネル用シートは、タッチパネルに貼着されるタッチパネル用シートであって、タッチパネルのアイコンの位置を示すための凸部がシルクスクリーン印刷により形成されていることを特徴とする。
【発明の効果】
【００１３】
以上のように、シルクスクリーン印刷によって凸部が形成されているので、シートの表面に汚れ等が付着しても、指先で軽く触った程度で容易にマーク部の位置を認識することができる。また、小ロット生産にも適している。
【図面の簡単な説明】
【００１４】
【図１】本発明の一実施形態における入力装置用シートを示す正面図。
【図２】同実施形態における入力装置用シートの要部拡大断面図。
【図３】同実施形態における入力装置用シートの使用状態を示す正面図。
【図４】本発明の他の実施形態における入力装置用シートの使用状態を示す正面図。
【図５】本発明の他の実施形態における入力装置用シートを示す正面図。
【図６】同実施形態における入力装置用シートの使用状態を示す正面図。
【図７】本発明の他の実施形態における入力装置用シートを示す正面図。
【図８】同実施形態における入力装置用シートの使用状態を示す正面図。
【図９】本発明の他の実施形態における入力装置用シートを示す正面図。
【図１０】同実施形態における入力装置用シートの使用状態を示す正面図。
【発明を実施するための形態】
【００１５】
以下、本発明の一実施形態に係る入力装置用シートについて図１〜図３を参酌しつつ説明する。本実施形態における入力装置用シート１は、入力装置としてのスマートフォン５０に貼着されるスマートフォン５０用のシート１であり、スマートフォン５０の表面、形状に合わせてカットされたものである。シート１の具体的断面構造の一例を図２に示しているが、シート１は、基材１０と、該基材１０の裏面にプライマー層１１を介して積層された自己吸着性粘着層１２と、基材１０の表面に積層されたトップコート層１３からなるシート本体を備えている。シート本体は全体として透明であり、そのシート本体の表面に複数の凸部２１，２２がシルクスクリーン印刷によって形成され、シート本体の裏面にはセパレータ１４が積層されている。基材１０は、柔軟性を有する透明の合成樹脂シートであって、種々の合成樹脂シートが使用可能であり、例えば、ポリエチレンテレフタラート系樹脂シート（ＰＥＴシート）を使用することができる。基材１０の厚さは、例えば、３０μｍ〜３００μｍであって、好ましくは５０μｍ〜１５０μｍである。自己吸着性粘着層１２は例えばシリコン樹脂であって、厚さは数十μｍ程度である。該自己吸着性粘着層１２により、シート１を繰り返して剥離し、貼り付けることができる。また、トップコート層１３は防指紋機能を有する透明なハードコート層である。尚、セパレータ１４はシート１をスマートフォン５０に貼着する際に剥がされる。
【００１６】
図１に戻って、シート１の表面の上部領域には、スマートフォン５０のカメラとスピーカの位置に合わせてそれぞれ孔３，４が形成されており、表面の下部領域には、スマートフォン５０のメインボタンの位置に合わせて孔５が形成されている。そして、シート１の表面の中央領域には、大別して二種類の凸部２１，２２が形成されている。一種類目の凸部２１は、円形（点状）であって、縦横等間隔に合計１６個形成されている。該円形の凸部２１は、図２に示すように直径Ｓが例えば１ｍｍ〜１０ｍｍ、高さＨが、例えば１００μｍ〜６００μｍ、より好ましくは２００μｍ〜３００μｍである。尚、凸部２１は種々の形状であってよいが、例えば矩形の場合であれば、その大きさは１×１ｍｍ〜１０×１０ｍｍが好ましい。また、二種類目の凸部２２は文字として構成され、円形の凸部２２の下側に位置しており、横一列に等間隔で並んで合計４つ形成されている。文字型の凸部２２は例えばアルファベットであり、文字を構成する線の部分がシート１の表面から突出している。文字の線幅は例えば１ｍｍ〜１．５ｍｍであり、高さは円形の凸部２１と同じであって例えば１００μｍ〜６００μｍ、より好ましくは２００μｍ〜３００μｍである。尚、アルファベットのＴは電話を、Ｍはメールを、Ｉはインターネットを、Ｃはカレンダーをそれぞれ意味するものとして表記されているが、これは一例に過ぎない。他のアルファベットで表記してもよいし、カタカナやひらがな、漢字等であってもよく、種々の言語や、図柄、記号、数字であってもよい。また、凸部２２を全てあるいは一部同じ文字としてもよい。尚、図２において、凸部２１，２２の高さＨは、基材１０の厚さよりも大きく、シート本体の厚さ（トップコート層１３から自己吸着性粘着層１２までの厚さ）よりも大きい。
【００１７】
これらの凸部２１，２２は上述したようにシルクスクリーン印刷によって形成されている。インキは各種のインキが使用でき、透明のインキが好ましいが不透明のインキであってもよい。また、紫外線硬化型のインキが好ましい。全ての凸部２１，２２は剥離除去可能に形成されているが、円形の凸部２１に比して文字型の凸部２２は高さは等しいものの面積が大きい。文字型の凸部２２は円形の凸部２１よりも剥離しにくい。具体的には、円形の凸部２１の剥離強度は文字型の凸部２２の剥離強度よりも小さく指の爪で擦って剥離除去できる程度である。その一方、文字型の凸部２２の剥離強度は例えば定規やコインで擦ることで剥離除去できる程度である。また、凸部２１と凸部２２を１回の印刷工程で形成することもできるが、合計２回の印刷工程で凸部２１，２２を形成することもできる。例えば、凸部２１と凸部２２のうち一方を一回目の印刷工程で形成し、他方を二回目の印刷工程で形成することができる。このように凸部２１と凸部２２を別々の印刷工程で形成すれば、例えば凸部２１の印刷工程と凸部２２の印刷工程でインキの種類を変えることができる。使用するインキの違いによっても凸部２１の剥離強度を凸部２２の剥離強度に対して相対的に小さくすることもできる。このように印刷工程毎にインキの種類を変える等各種の印刷条件を変えることにより、剥離強度に差を設けることができる。
【００１８】
該シート１は図３のようにスマートフォン５０の表面に貼着されて使用される。シート１は、スマートフォン５０の周縁部を除いた表面全体を被覆する。該スマートフォン５０はその表面の大部分がタッチパネル５１であり、該タッチパネル５１によってスマートフォン５０における平面状のタッチ式入力部が構成されている。タッチパネル５１にはタッチする位置を示すためのマーク部としてのアイコン５２が表示される。該スマートフォン５０では四角形のアイコン５２が表示される。タッチパネル５１は第一のエリア９１と第二のエリア９２を有している。第一のエリア９１においては、一画面につきアイコン５２が最大で１６個表示され、１６個までの数や内容をユーザが任意にカスタマイズできる。また、第一のエリア９１に表示されるアイコン５２は、画面を横方向にスクロールして切り替えることで、画面と共にスクロールしてその次画面のアイコン５２へと切り替わるものであり、画面毎にアイコン５２の数や内容が異なる。その一方、第二のエリア９２には横方向に合計４個のアイコン５２が表示されるが、それらのアイコン５２の内容についてはカスタマイズ可能であるが数については変更することができない。また、第二のエリア９２のアイコン５２は画面をスクロールしても画面には追随せず常に同じものが表示される。
【００１９】
このスマートフォン５０に上述のシート１をセパレータ１４を剥がして貼着すると、第一のエリア９１には円形の凸部２１が、第二のエリア９２には文字型の凸部２２が、それぞれアイコン５２の位置に対応して位置する。円形の凸部２１、文字型の凸部２２は、何れも各アイコン５２の略中央に位置する。このようにアイコン５２に対応して凸部２１，２２が位置するので、凸部２１，２２を指で触れることでアイコン５２の位置を容易に把握することができる。また、これらの凸部２１，２２がシルクスクリーン印刷によって形成されているので、十分な高さが確保されており、指先で軽く触れる程度でも十分にその存在を把握することができ、アイコン５２の位置を触覚で容易に把握できる。
【００２０】
更に、第一のエリア９１における円形の凸部２１は指の爪で容易に剥離除去できるので、ユーザの好みや画面に表示されるアイコン５２の数等に合わせて円形の凸部２１を適宜剥離除去して必要な個数のみを残して使用することができる。例えば、表示されるアイコン５２が少ない場合や、第一のエリア９１には凸部２１が存在しないあるいは少ない方が好みである場合では、ユーザは必要な円形の凸部２１のみを残して他の円形の凸部２１を容易に剥離除去することができる。それに対し、文字型の凸部２２は円形の凸部２１に比して剥離しにくくなっており、長期間の使用に耐えることができる。但し、ユーザによっては４つの文字型の凸部２２のうち幾つかののみを使用したい場合もあり、そのような使用環境では、必要なもののみを残して他の文字型の凸部２２については定規等で剥離除去して使用することもできる。
【００２１】
尚、上記実施形態においては第二のエリア９２に位置する凸部２２を文字型としたが図４に示すように円形としてもよい。その場合、第一のエリア９１における円形の凸部２１よりも第二のエリア９２における円形の凸部２２を大径としてその面積を拡大させることで、第一のエリア９１における円形の凸部２１の剥離強度よりも第二のエリア９２における円形の凸部２２の剥離強度を大きくする。また、図４のように第二のエリア９２における円形の凸部２２を全て同じ大きさとする以外にも、例えば、第二のエリア９２における円形の凸部２２をそれぞれ異なる大きさとすることもでき、二種類の大きさや三種類の大きさとするなど、複数種類の大きさの円形の凸部２２としてもよい。
【００２２】
尚、シート１がスマートフォン５０の表面の略全体を覆っていたが、タッチパネル５１のみを覆うシート１であってもよい。
【００２３】
また、第二のエリア９２の凸部２２の全部あるいは一部を実質上剥離不能に構成してもよい。第一のエリア９１の凸部２１についても同様である。
【００２４】
次に、別のスマートフォン５０に貼着されるシート１について説明する。上述のスマートフォン５０はそのタッチ式入力部の全体がタッチパネル５１で構成されていたが、次に説明するスマートフォン５０は、平面状のタッチ式入力部の一部がタッチパネル５１として構成されたものである。即ち、図５はスマートフォン５０に貼着されるシート１を示し、図６はスマートフォン５０にシート１が貼着された状態を示しているが、図６に示しているように、このスマートフォン５０は、タッチパネル５１の外側、具体的には下側に、マーク部５３が固定的に配置された固定エリア９３が設けられている。固定エリア９３のマーク部５３の数や配置等は任意であるが、ここでは横一列に等間隔で合計４個のマーク部５３が配置されている。固定エリア９３のマーク部５３はスマートフォン５０の表面に印刷等によって表示された所定の図柄等であるが、タッチパネル５１のアイコン５２と同様に指でタッチするとそれを感知して所定の信号を出力する。マーク部５３の図柄は任意であるが、図６では、左側から順に上向きの三角形、四角形、下向きの三角形、星形の図柄としている。固定エリア９３のマーク部５３は、例えば電源のオンオフ操作や、ズーム操作、前の画面に戻る操作等、予め決められた操作を行うために設けられている。固定エリア９３にはタッチパネル５１と同様のタッチパッド等が使用されるが、タッチパネル５１とは異なり液晶画面がなく表示機能がない。固定エリア９３のタッチパッドとタッチパネル５１のタッチパッドはそれぞれ別体に構成してもよく、一体に構成してもよい。
【００２５】
このように図６に示すスマートフォン５０のタッチ式入力部は、タッチパネル５１と固定エリア９３とから構成されている。該スマートフォン５０のタッチパネル５１には例えば円形のアイコン５２が表示され、図３のものと同様に第一のエリア９１と第二のエリア９２とを有している。第一のエリア９１には例えば最大１２個のアイコン５２が表示され、上述のものと同様に、画面のスクロールに追随すると共に、その数や内容を任意にカスタマイズできる。第二のエリア９２には横一列に合計５個のアイコン５２が表示され、そのうち中央の三つのアイコン５２については内容を任意に変更できるが、両端の二つのアイコン５２については内容を変更することができない。
【００２６】
このスマートフォン５０に貼着されるシート１の表面には、同様にシルクスクリーン印刷によって凸部２１，２２ａ，２２ｂ，２３が形成されている。具体的には、第一のエリア９１に対応する箇所にはアイコン５２の最大数と位置に合わせて合計１２個の凸部２１が形成され、第二のエリア９２に対応する箇所にはアイコン５２の数と位置に合わせて合計５個の凸部２２ａ，２２ｂが形成され、固定エリア９３に対応する箇所にはマーク部５３の数と位置に合わせて合計４個の凸部２３が形成されている。第一のエリア９１の凸部２１は小径の円形である。第二のエリア９２の凸部２２ａ，２２ｂは第一のエリア９１の凸部２１よりも大径の円形であり、両端の二つの凸部２２ｂは中央の三つの凸部２２ａよりも大径である。つまり、第一のエリア９１の凸部２１、第二のエリア９２の中央の凸部２２ａ、第二のエリア９２の両端の凸部２２ｂの順で直径が大きくなっており、この直径に応じて剥離強度も大きくなっている。即ち、この順に剥離しにくくなっており、特に、第二のエリア９２における両端の二つの凸部２２ｂについては実質上剥離不能である。また、固定エリア９３に対応した箇所の凸部２３は固定エリア９３のマーク部５３の図柄に合わせた図柄としており、それらの凸部２３の面積は何れも第二のエリア９２の凸部２２ａ，２２ｂよりも更に大きくなっていて、実質上剥離不能である。但し、固定エリア９３の凸部２３と第二のエリア９２における両端の凸部２２ｂを同サイズとしてもよい。また、第一のエリア９１における凸部２１の剥離強度と第二のエリア９２における凸部２２ａ，２２ｂの剥離強度を同程度とし、固定エリア９３における凸部２３の剥離強度をそれよりも大きくしてもよい。
【００２７】
尚、図６の場合もシート１がスマートフォン５０の表面の略全体を覆っていたが、タッチパネル５１と固定エリア９３を覆ってそれらの外側部分については覆わないような大きさのシート１であってもよい。また、固定エリア９３を覆わずにタッチパネル５１のみを覆うシート１としてもよい。更に、タッチパネル５１のみを覆うシート１と固定エリア９３のみを覆うシート１を別体構成としてユーザが任意に貼着できるようにしてもよい。
【００２８】
また、タッチ式入力部の外側に、指で押圧することで所定の信号を出力する機械式のボタンキーが突出した状態で設けられているスマートフォン５０の場合には、その機械式のボタンキーを覆わないようにシート１を貼着することが好ましい。
【００２９】
尚、固定エリア９３に対応した箇所の凸部２３を固定エリア９３のマーク部５３の図柄に合わせた図柄としたが、これには限られず、固定エリア９３のマーク部５３の図柄と無関係の図柄や文字、数字、記号、点、線等、種々のものであってよい。
【００３０】
更に、スマートフォン以外の入力装置においても同様であって、タブレット端末に貼着されるタブレット端末用のシート１であってもよい。図７及び図９はタブレット端末６０用のシート１を示し、図８及び図１０はそれぞれ図７及び図９のシート１がタブレット端末６０に貼着された状態を示している。このタブレット端末６０はジャイロセンサーを搭載しており、タブレット端末６０の向きに応じてタッチパネル６１の画面表示を適合させる。タッチパネル６１に表示されるアイコン６２も縦型の画面表示の場合と横型の画面表示の場合とで位置が異なる。従って、縦型の画面表示用のシート１と横型の画面表示用のシート１の二種類が存在することが好ましい。図７は縦型の画面表示用のシート１であり、図８はそれをタブレット端末６０に貼着した状態を示し、また、図９は横型の画面表示用のシート１であり、図１０はそれをタブレット端末６０に貼着した状態を示している。ユーザが主として縦型の画面表示を使用する場合には縦型の画面表示用のシート１を選択して貼着し、ユーザが主として横型の画面表示を使用する場合には横型の画面表示用のシート１を選択して貼着する。
【００３１】
図８に示すように、縦型の画面表示では、タッチパネル６１の第一のエリア９１に一画面あたり例えば最大合計１６個のアイコン６２が表示され、第二のエリア９２には合計４個のアイコン６２が表示される。従って、図７に示すように、それらのアイコン６２の数と位置に合わせて、シート１の表面に凸部２１，２２を形成している。第一のエリア９１のアイコン６２についてはユーザが数と内容を任意にカスタマイズできると共に画面のスクロールにも追随し、第二のエリア９２のアイコン６２についてはユーザが内容を任意にカスタマイズできる一方で画面のスクロールには追随せずにその位置に留まっている。そのため第一のエリア９１に対応した凸部２１は円形であって小径のものであり、指の爪で容易に剥離除去できる程度の剥離強度で形成されている。第二のエリア９２に対応した凸部２２は横方向に延びる直線状のものであって第一のエリア９１の凸部２１よりも面積が大きく剥離強度も大きい。尚、図８に示すように、第二のエリア９２の凸部２２をアイコン６２の中央ではなく中央から下側に偏心して位置させているが、アイコン６２の中央であってもよく、アイコン６２の中央から上側に偏心して位置させてもよい。また、第二のエリア９２の凸部２２を横棒状としたが、縦棒状としてもよく、その位置はアイコン６２の中央であっても左右に偏心した位置であってもよい。第一のエリア９１についても同様のことであって、アイコン６２に対する凸部２１，２２の位置も任意である。
【００３２】
一方、図１０に示すように、横型の画面表示では、タッチパネル６１の第一のエリア９１に一画面あたり例えば最大合計１５個のアイコン６２が表示され、第二のエリア９２には合計４個のアイコン６２が表示される。従って、図９に示すように、それらのアイコン６２の数と位置に合わせてシート１の表面に凸部２１，２２を形成する。剥離強度については縦型の場合と同様である。
【００３３】
尚、上記実施形態では凸部の高さを一定とし凸部の面積を変化させることで剥離強度が異なるようにしたが、凸部の面積を一定とし、凸部の高さを変化させて剥離強度を調整してもよい。即ち、凸部の高さを相対的に高くすることで剥離しやすいようにしてもよい。そして、凸部の高さと面積を種々組み合わせて剥離強度を設定することもでき、高さ／面積の比を変えることで剥離強度を複数種類存在させるようにしてもよい。
【００３４】
また、凸部を二層以上の多層構造とすることで一層のものに比べて剥離強度を上げる、あるいは逆に下げるようにしてもよい。
【００３５】
また更に、凸部によってインキの種類を変えて剥離強度に差を設けるようにしてもよい。その場合、印刷工程を１回ではなく数回に分けて行えば、印刷工程毎にインキの種類を変えて剥離強度の異なる複数種類の凸部を形成することができる。インキの種類以外の印刷条件についても同様のことが言え、印刷工程毎に印刷条件を変えることで剥離強度の異なる複数種類の凸部を形成することができる。
【００３６】
更に、基材１０の表面にトップコート層１３が存在する部分とトップコート層１３が存在しない部分とを設けることで凸部の剥離強度に差をつけるようにしてもよく、あるいは、トップコート層１３の材質を変えることで凸部の剥離強度に差を設けるようにしてもよい。
【００３７】
また、剥離強度の大きい凸部が形成されたシート１と剥離強度の小さい凸部が形成されたシート１の双方を入力装置に貼着することで、第一のエリア９１と第二のエリア９２で凸部の剥離強度を変えたり、固定エリア９３を有する場合には固定エリア９３の凸部とタッチパネルの凸部との間で剥離強度を変えたりしてもよい。
【００３８】
更には、凸部の高さや面積、インキやシート１の種類など複数の要素を組み合わせて凸部の剥離強度を変化させてもよい。
【００３９】
但し、全ての凸部の剥離強度を一定としてもよく、また、全ての凸部を実質上剥離不能に構成してもよい。
【００４０】
また、上述のエリア（第一のエリア９１、第二のエリア９２、固定エリア９３）にアイコンやマーク部が一つ存在する入力装置にも適用でき、シート１においてエリアに対応した箇所に凸部が一つ存在する構成であってもよい。更に、エリアに複数のアイコン等が存在する場合において、その複数のアイコン等に対応してシート１に凸部を複数形成する場合でもそのエリアにおける凸部のうちの一部のみが剥離除去可能に構成されていてもよく、そのエリアにおける凸部のうちの一つのみが剥離除去可能に構成されていてもよい。
【００４１】
また、凸部の形状は任意であって全ての凸部を同じ形状としてもよい。
【００４２】
尚、凸部の位置はアイコンに重なる位置でなくてもよく、アイコンのすぐ隣に位置させてもよい。固定エリアのマーク部についても同様であって、何れにしても、アイコン等のマーク部の位置を示すことができる位置に凸部を設ければよい。
【００４３】
また、シート１がタッチパネルの全体ではなく一部のみに貼着されるものであってもよく、タッチ式入力部の全体ではなく一部のみに貼着させるようにしてもよい。
【００４４】
更に、シート１に凸部が一箇所のみ形成されていてもよい。
【００４５】
尚、上述したようなスマートフォンやタブレット端末の他、各種の携帯情報端末、ブックリーダ、携帯電話、ゲーム機にも適用可能であって、また、携帯型の入力装置でなくてもよい。
【符号の説明】
【００４６】
１    シート
３    孔
４    孔
５    孔
１０    基材
１１    プライマー層
１２    自己吸着性粘着層
１３    トップコート層
１４    セパレータ
２１    凸部
２２    凸部
２２ａ  凸部
２２ｂ  凸部
２３    凸部
５０    スマートフォン（入力装置）
５１    タッチパネル
５２    アイコン（マーク部）
５３    マーク部
６０    タブレット端末（入力装置）
６１    タッチパネル
６２    アイコン（マーク部）
９１    第一のエリア
９２    第二のエリア
９３    固定エリア
【図１】
2012234263.tif 000003
【図２】
2012234263.tif 000004
【図３】
2012234263.tif 000005
【図４】
2012234263.tif 000006
【図５】
2012234263.tif 000007
【図６】
2012234263.tif 000008
【図７】
2012234263.tif 000009
【図８】
2012234263.tif 000010
【図９】
2012234263.tif 000011
【図１０】
2012234263.tif 000012